(57)【特許請求の範囲】
【請求項１】
スラットの各々がその上部エッジに繋がる上部結合要素及びその下部エッジに繋がる下部結合要素を有し、前記上部結合要素と前記下部結合要素の間の距離が前記スラットの幅を画定し、隣接する前記スラットの前記上部結合要素と前記下部結合要素とが互いに係合されて継手を形成する前記スラットからなりかつ、展げた状態と収納した状態との間で操作可能な格納自在の巻き取り式シャッタアセンブリであって、
シャッタ支持部材と、
前記シャッタ支持部材に固定され、互いに機械的に係合した所定数のスラットの第１のスラット群を有する第１のシャッタサブアセンブリと、を含み、
前記第１のシャッタサブアセンブリは、第１の長さを有し、
前記第１の長さは、前記所定数のスラットが前記シャッタ支持部材に巻き取られて収納されるとき、前記第１のスラット群の最後のスラットの下部結合要素が前記第１のスラット群の初めのスラットの上部結合要素に隣接して配置されて前記シャッタ支持部材を取り囲む長さであり、
前記巻き取り式シャッタアセンブリは更に、前記第１のシャッタサブアセンブリの第１のスラット群の前記所定数のスラットと同じ数の互いに機械的に係合したスラットからなる第２のスラット群を有する少なくとも１つの後続の第２のシャッタサブアセンブリを含み、
前記第２のシャッタサブアセンブリの各々は、第２の長さを有し、
前記第２の長さは、前記第２のスラット群の最後のスラットの下部結合要素が前記第２のスラット群の初めのスラットの上部結合要素に隣接して配置されるように、先に巻き取られた前記第１又は第２のシャッタサブアセンブリを取り囲む長さであり、
前記巻き取り式シャッタアセンブリが収納位置にある場合に、前記第１又は第２のシャッタサブアセンブリの各々のスラットの本体部は、後続の前記第２のシャッタサブアセンブリのスラットの本体部にそれぞれ接し、
後続の前記第２のシャッタサブアセンブリの各々のスラットの幅は、先の前記第２のシャッタサブアセンブリの最後のスラットの下部結合要素が後続の前記第２のシャッタサブアセンブリの初めのスラットの上部結合要素に隣接して配置され、前記先に巻き取られた前記第２のシャッタサブアセンブリを取り囲む長さとなるように、前記第２のシャッタサブアセンブリごとに増加することを特徴とする格納自在の巻き取り式シャッタアセンブリ。
【請求項２】
前記上部結合要素及び前記下部結合要素は、円筒状であって、前記上部結合要素または前記下部結合要素のうちの一方は、前記上部結合要素または前記下部結合要素のうちの他方の中に配されて、前記隣接するスラット同士の間の枢動結合を形成することを特徴とする請求項１記載の格納自在の巻き取り式シャッタアセンブリ。
【請求項３】
前記上部結合要素と前記下部結合要素とにフックが一体的に形成されており、前記フックは互いに係合し、前記スラットの回転が互いに対して防止することを特徴とする請求項２記載の格納自在の巻き取り式シャッタアセンブリ。
【請求項４】
前記スラットの各々は、前記上部結合要素と前記下部結合要素の間で伸びる面に沿って湾曲していることを特徴とする請求項１記載の格納自在の巻き取り式シャッタアセンブリ。
【請求項５】
前記巻き取り式シャッタアセンブリが収納位置にある場合に、前記巻き取り式シャッタアセンブリを取り囲む筐体を更に含むことを特徴とする請求項１記載の格納自在の巻き取り式シャッタアセンブリ。
【請求項６】
前記格納自在の巻き取り式シャッタアセンブリは、開口部の両側の各々に固定されたトラックを更に含み、前記スラットの各々の端は前記トラックに防護されることを特徴とする請求項５記載の格納自在の巻き取り式シャッタアセンブリ。
【請求項７】
前記巻き取り式シャッタアセンブリが収納位置にある場合に、前記シャッタサブアセンブリの前記継手が前記先に巻き取られた前記第２のシャッタサブアセンブリに沿って並置されることを特徴とする請求項１〜６のいずれかに記載の格納自在の巻き取り式シャッタアセンブリ。
【発明の詳細な説明】
【技術分野】
【０００１】
本発明は、巻き取り式防護シャッタの分野に関する。シャッタは、建物の窓またはドアを覆うためのアセンブリを含む。該アセンブリは、使用していない場合、筐体内にコンパクトに巻き上げることができる。
【背景技術】
【０００２】
巻き取り式防護シャッタは、ハリケーンなどの極端な気象条件に対する対策として、かつ泥棒を阻止するために長く用いられてきた。通常、巻き取り式防護シャッタは、互いにヒンジで結合された複数のシャッタブレードまたはスラットでできている。展げた（下ろした）ときに、これらのブレードまたはスラットは、建物の開口部を覆う表層を形成する。該ブレードまたはスラットが使用されていないとき、該ブレードまたはスラットは筐体または容器に収納される。該ブレードまたはスラットは、通常収納用のロッドまたはシャフトに巻き取られる。これらの巻き取り式シャッタの例は、ミラー氏によって特許が取得された「巻き取り式防護シャッタ」と題された米国特許第５，５７５，３２２号（特許文献１）に開示されており、該特許は、参照することにより本明細書に組み込まれている。図１及び図２に示したように、ミラー氏による巻き取り式シャッタは、複数の個々のスラット及び該スラットを相互に結合している複数のヒンジから成る。スラットは、第１のスラットセット及び第２のスラットセットを含む。第１のセット及び第２のセットのスラットの各々は交互に並んでいて、ヒンジの各々は第１のセットのスラットのうちの１つ及び第２のセットのスラットのうちの１つに結合されている。シャッタアセンブリはまた、一対のシャッタ軌道及び伸ばした位置から格納位置までシャッタを巻く手段を含む。格納位置において、シャッタは、シャッタ支持部材上に巻き上げられる。巻き上げられたシャッタを保持するのに必要な筐体の寸法は、図１に示したように、展げた場合のシャッタの奥行きよりかなり大きく、建物からかなりの間隔に伸びる。
【０００３】
ミラー氏によって特許が取得された米国特許第５，５７５，３２２号（特許文献１）は、戸口または窓開口部を覆う巻き取り式シャッタアセンブリを開示する。シャッタは、互いに結合された複数のスラットから形成されている。２つの異なったスラットセットがある。スラットセットの各々は、サイズ及び接続要素において互いに異なっている。異なったセットは、第１のセットを第２のセットと交互にした交互の配置で互いに結合されている。この配置によって、展げた場合に第１のスラットセットを水平位置にあるようにし、展げた場合に第２のセットを垂直位置または角度がついた位置にあるようにする。第２のスラットセットによって、強風及びひどい天候からの保護の大半が提供される。このタイプの構造に関する課題は、収納用のアセンブリ上へ巻き取られた場合に、スラットがかなり大きい直径を占めるということである。
【０００４】
ミラー氏によって特許が取得された米国特許第６，４２２，２８９号（特許文献２）も、戸口または窓開口部を覆う巻き取り式シャッタアセンブリを開示する。シャッタは、使用されていない場合、収納用のシャッタ支持部材上へ巻き上げられるよう設計されている。多くの異なったシャッタスラットの実施形態が開示されている。第１の実施形態において、スラットは湾曲していて、上げ下げされるときに、トラック内でシャッタスラットを案内するのに役立つローラーを含んでいてもよいし含んでいなくてもよい。他の実施形態において、シャッタスラットは、平坦であって、様々な異なるヒンジ結合を利用して互いに結合されている。しかしながら、これらの実施形態のいずれも、シャッタが収納用のシャッタ支持部材上に巻き上げられる場合の、コンパクトで小径のユニットを提供していない。
【０００５】
ヘイゼンバーグ氏によって特許が取得された米国特許第６，７７９，５８２号（特許文献３）は、建物の開口部に一時的な覆いを設けて、ハリケーン及び他の厳しい気象条件から風、破片及び水で建物の内部が損害を受けるのを防ぐアコーディオンタイプのハリケーンシャッタアセンブリを開示している。
【０００６】
ヘイゼンバーグ氏によって特許が取得された米国特許第７，０６９，７００号（特許文献４）は、ハリケーンシャッタまたは荒天用シャッタを取り付けるために建物の外壁に設けられる締め具を覆うシステムを開示している。システムは、締め具用の取り付けトラックと、トラックの一面で回動可能なカバープレートとを含む。カバーは、通常、締め具が使用されていないときに締め具を覆い、外側に枢動し、締め具への出入りを可能にしてシャッタが締め具に取り付けられるようにする。
【先行技術文献】
【特許文献】
【０００７】
【特許文献１】米国特許第５，５７５，３２２号明細書
【特許文献２】米国特許第６，４２２，２８９号明細書
【特許文献３】米国特許第６，７７９，５８２号明細書
【特許文献４】米国特許第７，０６９，７００号明細書
【発明の概要】
【０００８】
本発明は、複数のシャッタスラットを含む巻取り式シャッタアセンブリを対象としており、該複数のシャッタスラットは、巻き上げられた状態にある場合に互いにぴったりとフィットして、巻き上げられたシャッタアセンブリの直径を大幅に縮小するよう設計されている。このシャッタアセンブリの直径の縮小によって、シャッタアセンブリ用のより小さい筐体を使用することが可能になる。より小さい筐体によって、アセンブリの美観が増し、アセンブリ筐体に必要な材料が削減され、よってシャッタアセンブリのコストが削減される。巻き取り式シャッタアセンブリは、シャッタ支持部材、該支持部材に結合されたシャッタ、及び上げ下げされている間シャッタを案内する複数のトラックを含む。シャッタスラットは、スラットの各エッジ部分に沿ってヒンジ結合を含む。
【０００９】
従って、収納された状態にある場合に互いにぴったりとフィットするよう設計された複数のシャッタスラットを含む巻き取り式シャッタアセンブリを提供することが本発明の目的である。
【００１０】
展げた状態にある場合にハリケーン及び強風に対する建物の開口部の防護を提供する巻き取り式シャッタアセンブリを提供することが本発明の更なる目的である。
【００１１】
複数のシャッタサブアセンブリから形成されており、サブアセンブリのスラットの各々が同じサイズまたは同じ幅である巻き取り式シャッタアセンブリを提供することが本発明のまた別の目的である。
【００１２】
収納位置にある場合に十分に小径の巻き取り式シャッタアセンブリを提供することが本発明のまた更なる目的である。
【００１３】
本発明の他の目的及び利点は、図と例とを用いて本発明の特定の実施形態が説明されており、あらゆる添付図面と関連してなされる以下の詳細な説明から明らかになるだろう。本明細書に含まれるあらゆる図面は、この明細書の一部を構成し、本発明の例示的な実施形態を含み、その様々な目的及び特徴を明らかにする。
【図面の簡単な説明】
【００１４】
【図１】本発明の巻き取り式シャッタアセンブリの分解斜視図である。
【図２】展げた位置での本発明の巻き取り式シャッタアセンブリの正面斜視図である。
【図３Ａ】本発明の巻き取り式シャッタアセンブリの展げた位置でのシャッタアセンブリの異なる長さを示す側面図である。
【図３Ｂ】本発明の巻き取り式シャッタアセンブリの展げた位置でのシャッタアセンブリの異なる長さを示す側面図である。
【図４】収納位置での本発明の巻き取り式シャッタアセンブリの図２の線４−４に沿った断面図である。
【図５Ａ】本発明のシャッタスラットの異なるサイズを示す端面図である。
【図５Ｂ】本発明のシャッタスラットの異なるサイズを示す端面図である。
【図５Ｃ】本発明のシャッタスラットの異なるサイズを示す端面図である。
【図５Ｄ】本発明のシャッタスラットの異なるサイズを示す端面図である。
【図５Ｅ】本発明のシャッタスラットの異なるサイズを示す端面図である。
【図５Ｆ】本発明のシャッタスラットの異なるサイズを示す端面図である。
【図５Ｇ】本発明のシャッタスラットの異なるサイズを示す端面図である。
【図５Ｈ】本発明のシャッタスラットの異なるサイズを示す端面図である。
【図５Ｉ】本発明のシャッタスラットの異なるサイズを示す端面図である。
【図５Ｊ】本発明のシャッタスラットの異なるサイズを示す端面図である。
【発明を実施するための形態】
【００１５】
本発明は様々な形で実施形態が可能であるが、本開示は本発明の例示とみなされることになっておりかつ示された特定の実施形態に本発明を限定することを意図していないという了解の下で、目下のところ好適であって限定ではない実施形態が、図面に示され、以下に説明される。
【００１６】
広く解釈すると、本発明は、複数の別個のシャッタサブアセンブリから成っている巻き取り式シャッタアセンブリを含む。第１のサブアセンブリは、シャッタ取付け部材をほぼ取り囲む大きさにされる。続いて、所望の範囲が得られるまで、後続の別個のシャッタサブアセンブリの各々は、先の別個のシャッタサブアセンブリをほぼ取り囲む大きさにされる。この別個のサブアセンブリの集まりは、特にコンパクトな方法でシャッタ取付け部材のまわりに積み重ねられるというその能力において独創的であり、全径は従来技術による巻き取り式シャッタアセンブリよりもかなり小さい。
【００１７】
本発明の巻き取り式シャッタアセンブリ１０の、実例となり、限定ではない実施形態が、図１及び図２に示されている。シャッタアセンブリ筐体１２は、上壁１４、後部壁１６、前部壁１８、側壁２０、及び底壁２２を含む。シャッタ支持部材２４は、筐体の側壁２０に結合された支持部材２６上に筐体内で回転するように取り付けられる。シャッタ取付け部材２８は、シャッタ支持部材２４のシャフト３０に固定される。
【００１８】
巻き取り式シャッタ３２は、図１及び図２において、広げた（下ろした）位置即ち展げた（下ろした）位置で示されている。巻き取り式シャッタは、互いに固定された複数のシャッタスラットを含む。いくつかのスラット７０−８８の端面図が、図５Ａ−５Ｊで見られる。これらのシャッタスラットは、好適実施形態ではアルミニウムでできているが、鋼または何か他の適当な材料でできていてもよい。材料は、強風に耐え、この風によって運ばれる物体が巻き取り式シャッタで覆われている開口部を貫通するのを阻止することができなければならない。巻き取り式シャッタ３２は、図４に示すように、その上部において、巻き取り式シャッタ３２の一番上のスラット３４によりシャッタ取付け部材２８に取り付けられている。円筒（シリンダー）状ソケット３６は、シャッタ取付け部材２８の外周部分に固定されるかまたはそこに形成される。ほぼ中空の円筒状結合部材３８は、円筒状ソケット３６の中で固定される。結合部材と円筒状ソケットとの組合せは、また、ナックル継手として公知である。結合部材３８は、シャッタスラット３４のエッジ部分に沿って取り付けられる。別の円筒状ソケット４２は、結合部材３８が取り付けられたエッジの反対側のシャッタスラット３４のエッジに沿って取り付けられる。第２のシャッタスラット４６の結合部材４４は、円筒状ソケット４２の中に固定される。第２のシャッタスラット４６は、そのエッジ部分に沿って取り付けられた円筒状ソケット４８を含む。第３のシャッタスラット５２の結合部材５０は、円筒状ソケット４８の中に固定される。第３のシャッタスラットは、そのエッジ部分に沿って取り付けられた円筒状ソケット５４を含む。第４のシャッタスラット５８の結合部材５６は、第３のシャッタスラットの円筒状ソケット５４の中に固定される。第４のシャッタスラットは、そのエッジ部分に沿って取り付けられた円筒状ソケット６０を含む。円筒状ソケット６０は、シャッタが巻き上げられた位置即ち収納位置にある場合、最初の円筒状ソケット３６に隣接して位置する。シャッタスラットのグループは、４枚のシャッタスラットを利用して形成され、該シャッタスラットは全て図５Ａのシャッタスラット７０のような寸法にされかつそのように形作られる。この４枚のシャッタスラットから成るグループは、シャッタ取付け部材２８をほぼ取り囲む。この４枚のシャッタスラットから成るグループは、シャッタサブアセンブリとして公知である。
【００１９】
第２のグループ即ち４枚の更なるシャッタスラット、６２、６４、６６、及び６８から成るサブアセンブリは、シャッタスラット５８に取り付けられる。これらのシャッタスラットは、一緒に互いに取り付けるために円筒状ソケット及び結合部材即ちナックル継ぎ手の同じ機構を利用する。これは、シャッタスラット３４、４６、５２、及び５８の説明において上記で説明されている。これらの４枚のシャッタスラット（６２、６４、６６、及び６８）は、前の４枚のシャッタスラット３４、４６、５２、及び５８をほぼ取り囲む。図４に示すように、この第２のグループ即ちスラット６２、６４、６６、及び６８から成るサブアセンブリは、スラット３４、４６、５２、及び５８から成る最も内側のサブアセンブリに入れ子になっていてかつ接している。この第２のサブアセンブリ６２、６４、６６、及び６８はまた、最も内側のサブアセンブリをほぼ取り囲んでいる。第２のサブアセンブリの第４のスラット６８の円筒状ソケット６９は、第１のスラットのサブアセンブリの第４のスラット５８の円筒状ソケット６０に隣接して位置する。ソケット６９はまた、第２のサブアセンブリの第１のスラット６２の結合部材６１は隣接していて、ほとんど完全な輪を描く。第２のスラットのサブアセンブリは、第１のサブアセンブリ即ち最も内側のサブアセンブリの直径より僅かに大きい直径を有する。このシャッタサブアセンブリの配置によって、シャッタアセンブリがその収納された位置にある場合に、十分にコンパクトな巻き取り式シャッタアセンブリが得られる。第２のグループ即ちサブアセンブリは、図５Ｂのシャッタスラット７２のような寸法にされかつそのような形状にされた４枚のシャッタスラットから形成される。
【００２０】
後続のサブアセンブリ即ちシャッタスラットのグループの各々は、各々が同じサイズを有している４枚のシャッタスラットから形成される。これらの４枚のスラットの各々は、前のサブアセンブリのシャッタスラットよりも次に大きい寸法を有している。第３のサブアセンブリは、図５Ｃのシャッタスラット７４と同様の４枚のシャッタスラットを含み、第４のサブアセンブリは、図５Ｄのシャッタスラット７６と同様の４枚のシャッタスラットを含むといった具合である。後続のシャッタスラットのサブアセンブリの各々は、図４に示したように、前のシャッタスラットのサブアセンブリに入れ子になっていてかつ接している。シャッタサブアセンブリがそれらの展げた位置にある場合、図３Ｂに示したように、後続のサブアセンブリの各々は、前のシャッタサブアセンブリより長い。第１のシャッタアセンブリ即ちグループ９０は、第２のシャッタアセンブリ即ちグループ９２より短い。後続のシャッタサブアセンブリ９４−１０８の各々は、その先行するシャッタサブアセンブリより長い。最後のシャッタサブアセンブリは、シャッタによって防護されている開口部の残りの部分にフィットする大きさになされる。最後のシャッタサブアセンブリは、４つのシャッタより少ないシャッタを含んでいてもよい。図３Ｂに示した実施形態において、最後のシャッタサブアセンブリは、単一のスラットだけを含む。
【００２１】
シャッタスラットは、次のシャッタスラットの円筒状ソケット内にある１つのシャッタスラットの結合部材で互いに結合されている。図１に示したように、ガイドピン１１０は、シャッタスラットの各端部において結合部材に固定されている。ガイドピン１１０は、ガイドレール１１４のトラック１１２に沿って垂直方向に移動する。ガイドレール１１４は、巻き取り式シャッタアセンブリが防護している開口部の左側及び右側の両方に配される。ガイドレール１１４は、締め具１１６で建物に固定される。保護キャップ１１８が、締め具１１６の露出した端部に取り付けられており、締め具を自然の力から保護することができる。複数のガイドピン１１０は、巻き取り式シャッタ３２が筐体１２から閉じられかつ筐体の中へ巻き上げられるようにする。ガイドピン１１０はまた、強風及び飛び散る破片によってシャッタアセンブリがそれ自体が覆っている開口部の中に動かされないというような方法で、ガイドレール１１４にシャッタスラットを固定する。
【００２２】
図１に示したように、ベースプレート１２０は、巻き取り式シャッタ３２の下部スラットに固定されている。ベースプレートは、巻き取り式シャッタ３２の下部シャッタスラットの円筒状ソケットに取り付けられている。ベースプレート１２０は、地面に立て掛けられて、風及び雨のような気象要素並びに昆虫の侵入を防ぐ。バー１２２は、下部スラットの円筒状ソケットに固定される。バー１２２は、左側可動端部部材１２４及び右側可動端部部材１２６を備えている。可動端部部材は、通常バー１２２の中に格納されていて、シャッタスラットの端部を越えて伸びない。巻き取り式シャッタ３２がその十分に展げた位置まで広げられると、端部部材１２４及び１２６は、ガイドレール１１４のトラック１１２の外側へかつその中に伸びる。バー１２２及び端部部材１２４、１２６は、ベースプレート１２０及び巻き取り式シャッタ３２の下部の端部をガイドレール１１４の下部位置に固定するのに役立つ。ガイドレール１１４に端部部材１２４及び１２６を係止する手段が提供されてもよい。
【００２３】
シャッタスラットはまた、結合部材及び円筒状ソケットの上に形成された複数のフックによって、内向きに開口部内に枢動できないようにされている。図５Ａのシャッタスラット７０は、その円筒状ソケット７１の内側部分に形成されたフック１３０を有する。フック１３０は、円筒状ソケット７１の長さを実質的に延長する。別のフック１３２が、スラット７０の結合部材７３の外側部分に形成されている。これらのフックの働きが、ここで図４の巻き取り式シャッタアセンブリを利用して説明される。フック１３０は、第１のシャッタスラット３４の円筒状ソケット４２の内側部分に形成される。対応するフック１３２は、第２のスラット４６の結合部材４４の外側部分に形成される。スラットがそれらの収納位置から閉じられると、スラット４６の結合部材４４は、スラット３４の円筒状ソケット４２に関して反時計方向に回転する。図１に示すように、スラットが垂直位置に広げられると、フック１３０及び１３２は互いに係合する。この配置によって、巻き取り式シャッタ３２が、収納のために巻き上げられる方向の反対の方向に枢動して曲がるのが防止される。このことは、強風からのその防護を強化する。
【００２４】
この明細書において言及された全ての特許及び特許公報は、本発明が関係する技術に精通した者のレベルを示している。全ての特許及び特許広報は、個々の特許公報の各々が参照することにより組み込まれると具体的にかつ個々に示されたかのように、同じ範囲まで参照することにより本明細書に組み込まれる。
【００２５】
本発明の特定の形が示されているが、本明細書において説明されかつ示された特定の形式または配置に限定されるべきではないと理解されなければならない。本発明の要旨を逸脱することなく様々な変更がなされてもよく、本発明は、本明細書及び本明細書に含まれるあらゆる図面／図において示されかつ説明されたことに限定されるとみなされるべきでないことは当業者に明らかである。
【００２６】
本発明は目標を達成し、述べられた目的及び効果並びにその中に内在する目的及び効果を得るのによく適合していると、当業者は直ちに認めることができる。本明細書において説明された実施形態、方法、手順、及び技術は、目下の好適な実施形態を表すものであって、例示的であることを意図しており、発明の範囲を限定することを意図していない。本発明の精神の範囲内に包含されていてかつ添付の請求の範囲で画定される、その中の変更及び他の使用法を、当業者に思い当たるだろう。本発明は特定の好適実施形態と関連して説明されてきたが、請求されたような本発明は、係る特定の実施形態に必要以上に限定されるべきではないと理解されなければならない。実際に、当業者に明らかであって本発明を実行するための説明されたモードの様々な変更態様は、以下の請求の範囲内にあることが意図されている。
【図１】
0005683947.tif 000002
【図２】
0005683947.tif 000003
【図３Ａ】
0005683947.tif 000004
【図３Ｂ】
0005683947.tif 000005
【図４】
0005683947.tif 000006
【図５Ａ】
0005683947.tif 000007
【図５Ｂ】
0005683947.tif 000008
【図５Ｃ】
0005683947.tif 000009
【図５Ｄ】
0005683947.tif 000010
【図５Ｅ】
0005683947.tif 000011
【図５Ｆ】
0005683947.tif 000012
【図５Ｇ】
0005683947.tif 000013
【図５Ｈ】
0005683947.tif 000014
【図５Ｉ】
0005683947.tif 000015
【図５Ｊ】
0005683947.tif 000016